【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
医療装置用のハンドル（１０）において、
伝動装置及び駆動ラック（３２）を収容するフレーム（１４、１５）であって、前記伝動装置は前記フレーム（１４、１５）に取り付けられ、前記駆動ラック（３２）は前記フレーム（１４、１５）に可動的に取り付けられ、且つ、前記伝動装置と連結されているフレームと、
少なくとも部分的に前記フレーム（１４、１５）に収容され、前記フレーム（１４、１５）に可動的に取り付けられ、前記伝動装置と連結されている可動ラック（５０）と、
前記可動ラック（５０）に固定されているシース（７０）と、
前記フレーム（１４、１５）に固定され、前記シース（７０）を通って伸張しているケーブルアッセンブリ（６２）と、を備えているハンドル。
【請求項２】
前記シースは細長く可撓性を有しており、前記ケーブルアッセンブリは細長く可撓性を有しており、前記ケーブルアッセンブリは、その遠位端に取り付けられたスネアを更に備えている、請求項１に記載のハンドル。
【請求項３】
前記シースを前記フレームに対して所定の距離だけ動かすことにより前記スネアをしまい込むか又は解放する、請求項２に記載のハンドル。
【請求項４】
前記駆動ラックと前記可動ラックはフレームの内側両側にある、請求項１に記載のハンドル。
【請求項５】
前記伝動装置は、第２歯車（４３）と作動的に連結された第１歯車（４２）を有する歯車アッセンブリを更に備えており、前記可動ラック（５０）は、前記第２歯車（４３）と作動的に連結され且つ前記フレームと滑動可能に係合しており、前記駆動ラック（３２）は、前記第１歯車と作動的に連結され且つ前記フレームと滑動可能に係合しており、更に、前記伝動装置は、前記第２歯車のパラメータに対する前記第１歯車のパラメータによって決められる所定の機構上の利得を有している、請求項１に記載のハンドル。
【請求項６】
前記歯車アッセンブリは、二重歯車を備えている、請求項５に記載のハンドル。
【請求項７】
前記駆動ラックと前記可動ラックは互いに反対方向に移動するようになされた、請求項５に記載のハンドル。
【請求項８】
前記歯車アッセンブリは、前記可動ラック（５０）と前記第２歯車（４３）との間で作動的に連結された第３歯車（４４）を更に備え、前記駆動ラックは、前記可動ラックと同じ方向に移動する、請求項５に記載のハンドル。
【請求項９】
前記所定の機構上の利得は１ではない、請求項５に記載のハンドル。
【請求項１０】
前記可動ラックは、中を貫通して伸張する孔部（５４）を有しており、前記ケーブルアッセンブリ（６２）は、前記孔部を通って伸張している、請求項５に記載のハンドル。
【請求項１１】
前記ケーブルアッセンブリ（６２）は、
細長い可撓性を有するケーブル（６０）と、
前記細長い可撓性を有するケーブルの近位端に同軸に取り付けられた剛体管（６４）と、
前記剛体管の近位端に取り付けられたプラグ（６６）と、を更に備えている、請求項５に記載のハンドル。
【請求項１２】
前記ケーブルアッセンブリは、電気的に焼灼する電流を伝導することができ、前記シースと前記フレームは、前記ケーブルアッセンブリを電気的に絶縁している、請求項５に記載のハンドル。
【請求項１３】
前記フレームに取り付けられた少なくとも１つのフィンガリング（２０）を更に備えており、前記少なくとも１つのフィンガリングは前記フレームと一体である、請求項５に記載のハンドル。
【請求項１４】
医療装置用のハンドルにおいて、
歯車アッセンブリと駆動ラック（３２）を収容するフレームであって、前記歯車アッセンブリが、第２歯車と作動的に連結された第１歯車を有して前記フレームに回転可能に取り付けられており、前記第２歯車のパラメータに対する前記第１歯車のパラメータによって決められる機構上の利得を有するようになっている、フレーム（１４、１５）と、
前記第２歯車（４３）と作動的に連結され且つ前記フレームと滑動可能に係合している可動ラック（５０）と、
前記フレームに可動的に取り付けられたスライドであって、前記第１歯車（４２）と作動的に連結され且つ前記フレームと滑動可能に係合している駆動ラック（３２）を有しているスライド（３０）と、
前記可動ラック（５０）に固定されたシース（７０）と、
前記フレームに固定され、前記シースを通って伸張しているケーブルアッセンブリ（６２）と、を備えているハンドル。
【請求項１５】
前記スライドと前記可動ラックはフレームの内側両側にある、請求項１４に記載のハンドル。
【請求項１６】
前記シースは細長く可撓性を有しており、前記ケーブルアッセンブリは細長く可撓性を有しており、前記ケーブルアッセンブリは、その遠位端に取り付けられたスネアを更に備えている、請求項１４に記載のハンドル。
【請求項１７】
前記ケーブルアッセンブリは、
細長い可撓性を有するケーブル（６２）と、前記細長い可撓性を有するケーブルの近位端に同軸に取り付けられた剛体管（６４）と、前記剛体管の近位端に取り付けられたプラグ（６６）と、を更に備えている、請求項１４に記載のハンドル。
【請求項１８】
前記ケーブルアッセンブリは、電気的に焼灼する電流を伝導することができ、前記シースと前記フレームは、前記ケーブルアッセンブリを電気的に絶縁している、請求項１４に記載のハンドル。
【請求項１９】
前記フレームに一体的に取り付けられた少なくとも１つのフィンガリング（２０）を更に備えており、前記スライドは、一体に形成されたサムリング（３４）を更に備えている、請求項１４に記載のハンドル。
【請求項２０】
前記歯車アッセンブリは、ただ２つの歯車（４２、４３）しか備えておらず、前記スライドが、前記可動ラックと反対方向に移動する、請求項１４に記載のハンドル。
【請求項２１】
前記歯車アッセンブリは、前記可動ラックと前記第２歯車の間に作動的に連結された第３歯車（４４）を更に備えており、前記スライドが、前記可動ラックと同じ方向に移動する、請求項１４に記載のハンドル。
【請求項２２】
医療器具用のハンドルを製造する方法において、
ａ）歯車アッセンブリとスライドを収容するフレームを用意する段階と、
ｂ）機構上の利得を有する歯車アッセンブリを前記フレームに取り付ける段階と、
ｃ）前記スライドを前記フレームに滑動可能に取り付ける段階であって、前記スライドは前記歯車アッセンブリと作動的に連結される、スライドを取り付ける段階と、
ｄ）ケーブルアッセンブリを前記フレームに固定する段階と、
ｅ）可動ラックを前記フレームに滑動可能に取り付ける段階であって、前記可動ラックは前記歯車アッセンブリにより駆動され、少なくとも部分的に前記フレーム内に収容されるようにする、可動ラックを取り付ける段階と、
ｆ）シースを前記可動ラックに取り付ける段階であって、前記ケーブルアッセンブリが前記シースを通って同軸状に伸張しており、前記スライドが駆動されると、当該シースが前記フレームに対して引き込められたり繰り出されたりするようにされた、前記シースを取り付ける段階と、から成る方法。
【請求項２３】
前記可動ラックは、その中を貫通して伸張する孔部を有しており、前記ケーブルアッセンブリは、前記孔部を通って伸張している、請求項２２に記載の方法。
【請求項２４】
前記ケーブルアッセンブリは遠位端を有し、前記ハンドルはストローク長を有しており、前記方法は、
ｇ）スネアを前記ケーブルアッセンブリの前記遠位端に取り付ける段階と、
ｈ）前記フレーム内の前記スライドの位置を調整して、前記ストローク長を調整する段階と、を更に含んでいる、請求項２３に記載の方法。